(57)【要約】【課題】  市販の犬又は猫のおむつや紙パンツの使用で改善を要する便の排泄によるペットの臀部の汚れ、室内や公共の場所の汚れを解決する為に簡単に処理できる袋の構成を提供することにある。【解決手段】市販の犬又は猫のおむつや紙パンツの尻尾穴からペットの尻尾を出す。残りの尻尾穴から肛門が見えるおむつの周囲に便収容袋を貼る。紐は、尻尾の付け根で結ぶ。ペットの肛門から排泄された便は、直接袋の中に入る。そして、簡単且つ衛生的に処理できるようにしている。【選択図】図１
2005151963.tif 000002
【特許請求の範囲】
【請求項１】
犬又は猫の排出した尿を収容可能な尿収容パンツに、開口部が当該犬又は猫の肛門と対向するように取り付け具を介して、着脱可能に構成された犬又は猫用の便収容袋。
【請求項２】
開口部を有する防水性の外側袋と、この外側袋内に開口部が同一側となるように脱離可能に収容され、犬又は猫が排出した便を受け可能な水溶性の内側袋とからなる請求項１記載の便収容袋。
【請求項３】
前記袋の開口部を開閉可能な紐部材を設けた請求項１又は２記載の便収容袋。
【請求項４】
前記取り付け具が両面テープからなる請求項１、２又は３記載の便収容袋。
【請求項５】
前記両面テープが、犬又は猫の肛門付近の形状に合わせて円弧形状とされた請求項１から４までのいずれか１項に記載の便収容袋。
【発明の詳細な説明】
【技術分野】
【０００１】  本発明は、犬又は猫の尿収容パンツに貼り付けて大便を処理する便収容袋に関する。
【背景技術】
【０００２】  犬又は猫などのペットは、最近室内で飼われる割合が高くなってきているのに伴い、ペットの高齢化が進んでいるのが現状である。従来市販されている犬又は猫のおむつや紙パンツは、尿と便を外部に漏らさないようガードする構造であり、便だけを外部に出す時は、おむつの尻尾穴にある切り込み部分を切り取り、便を外部に出せるようになっている。
これは、尿を吸収するという点においては問題がないように思われる。しかし便の場合、おむつや紙パンツの中にするか、外部に出すという選択肢があるが、いずれにしろ後始末に大きな問題が生じる。便をおむつや紙パンツの中にさせた場合、排泄された便の全てがおむつや紙パンツの中に収容できるとは言い切れない。特に下痢で便が軟らかい時、尻尾穴の隙間から便が漏れ出てしまい外部を汚してしまう。
例え上手におむつや紙パンツの中に収容できたとしても、確実に肛門の周囲は便で汚れてしまう。人間の皮膚ならば拭けばすぐにきれいになるが、犬又は猫の皮膚は長く濃い体毛で覆われている場合がほとんどである。その体毛に便が付いてしまったら、拭くだけではとても足りず、風呂場などで洗い流さなければならず、後始末に大変手間がかかる。【０００３】  犬又は猫のおむつや紙パンツは尻尾穴にある切り込み部分を切り取り、尻尾穴を大きくすることで肛門が外から見えるようになるため、便を外部に排泄することもできるが、肛門から直接外に便を排泄するだけの場合は、室内及び公共の場所を汚し、臭いを放つ原因となる。【０００４】  犬又は猫のおむつや紙パンツは、生理や病気などによる歩行困難、高齢による痴ほう症状など介護用として使用されることが多い。生理や尿以外の大便の時、従来のおむつや紙パンツでは、便を中にするか、外に排泄するしかない。高齢による痴ほう症状の場合、いつ便意を催すか分からず、その都度おむつや紙パンツを交換し、排泄された便の処理をするのは困難である。
【特許文献１】  特許  第２９８３９２９号
【発明の開示】
【発明が解決しようとする課題】
【０００５】  本発明は上記した問題を解決するためになされたものである。その目的としては、犬又は猫の便の後始末が、簡単で周囲を汚すことなく確実に便を収容することができる犬又は猫の便収容袋を提供することにある。【０００６】  また、防臭防水効果と使用の便利性を満たすため、内袋を水溶性の紙、外袋をビニール、ポリエチレンなどの材質とした二重構造とする。
【課題を解決するための手段】
【０００７】  本発明は、現在市販されている犬又は猫のおむつや紙パンツを尿専用の収容袋として使用し、当該袋の尻尾を出す穴に便収容袋を着脱可能に取り付けるものである。まず、おむつや紙パンツにある尻尾穴を肛門が外から見えるように尻尾穴の周囲を切り取る。次に尻尾穴から犬又は猫のしっぽを出す部分を除き、肛門が見える尻尾穴の周囲に便収容袋を取り付ける。それにより、おむつや紙パンツ、又、室内や公共の場所を汚すことなく、便収容袋の中に確実に便が排泄される。【０００８】  便収容袋をおむつや紙パンツに貼り付ける部分は両面テープにする。便収容袋を両面テープで貼ることにより、取り付け取り外しが自由に出来る。【０００９】  本発明は、両面テープを使用して、犬又は猫のおむつや紙パンツに便収容袋を取り付ける。使用中、尿をしないで便だけの場合、便収容袋のみを剥がし新しい便収容袋を取り付ければ、おむつや紙パンツは再使用できる。【００１０】  本発明は、二重構造の便収容袋とする。外袋の材質は、ビニールやポリエチレンなど防水性のある袋とする。外袋をこのような材質にすることは、犬又は猫のどのような状態の便であっても、例えば、下痢のような水分を多く含んだ便であっても、しみ出たり、袋から漏れたりすることを避けるものである。又、外部からの水や雨に濡れた場合でも問題は解決できる。【００１１】  本発明は、二重構造の材質を外と内、別にすることで外袋については各自治体の指導に従ってごみの分別処理ができる。内袋は、水溶性の紙を使用するので便と一緒にトイレに流して処理できる。【００１２】  本発明は、二重構造の内袋の材質を水溶性の紙とする。これは、外袋のビニールやポリエチレンの袋だけでは、中に入った便が直接目にふれることになるが、内袋の材質を紙にすることにより、外観も不快感を与えない。【００１３】  便収容袋に紐通し穴を作り、紐を通し犬又は猫の尻尾の付け根部分で結ぶ。これによって、袋の中に便を排泄後もどんなに犬又は猫が活発に動いても、便収容袋が便の重量によりおむつや紙パンツから剥がれ落ちることがなく、又、便が外部に出ることもない。【００１４】  本発明は、外袋をビニールやポリエチレンなどの材質にすることや、又、紐を付け、これを尻尾の付け根部分で結び隙間を塞ぐことで、防臭効果の役目もするものである。【００１５】  本発明は、犬又は猫の大小に適応するように製造することが出来る。
【発明の効果】
【００１６】  本発明を使用することによって、犬又は猫が排泄した便で、肛門の周囲や尻を汚すことがない。又、室内や公共の場所を汚さなくて良い。【００１７】  犬又は猫の便を確実に袋の中に収め簡単に処理することができる。【００１８】  本発明は、病気などによる歩行困難や高齢、痴ほう症状などがあり介護を必要とする犬又は猫はもちろんだが、健康な犬又は猫であっても公共の場所、特に飲食店、乗り物などで小便や大便などをして他人に迷惑をかけることがないようにするためのエチケットとしての使用が望まれる。
【発明を実施するための最良の形態】
【００１９】  本発明は、市販の犬又は猫のおむつや紙パンツに便収容袋を貼り付け、ペットから排泄される便を直接袋の中に収めること。そして、着脱可能である。
【実施例１】
【００２０】  本発明の実施例を挙げて説明する。以下の実施例に示す接着具や袋、紐などの材料は限定するものではなく適宜変更できる。
図１、図３は、おむつを実際に犬に装着させ、本発明の便収容袋を貼り付けた使用状態を示す。図１は横から、図３は後方から見たものである。図１、図３の３の紐は、犬の尻尾の付け根に回して結ぶ。【００２１】  図２は、市販の犬又は猫のおむつや紙パンツの表面に本発明を貼り付けた表面図である。図２の上部は、犬又は猫に装着した場合背中側になり、下部は腹側にあたる。市販品のおむつや紙パンツに図５の本発明の両面テープ部分４を図２の尻尾穴７の位置に貼る。【００２２】  図４と図５は、製作した本発明を上面図、裏面図で示した。１の外袋にあたる材質は防水性のあるもの、２の内袋は水溶性の紙質とする二重構造。袋の開口部の上部に紐を通す為の筒状の穴を作る。ここに紐を通す。この紐は、犬の尻尾の付け根で結ぶ。こうすることによって、犬又は猫が活発に動いても、袋の中の便の重量によって袋が剥がれ落ちるのを防ぐと共に便が袋から出たりするのを防ぐ。又、防臭効果もある。【００２３】  図４の５は、２の内袋にミシン目を入れたものである。袋に収まった便Ｂを、ミシン目から切り取り、そのままトイレに流して処理できる。【００２４】  図５の４は、おむつや紙パンツの尻尾穴に合うように丸みを持たせて切り取り、その上に両面テープを貼ったものである。袋に丸みをつけて切り取ることで、ペットと装着したおむつとが密着し、かさばらない。又、両面テープにすることで、飼い主が容易におむつや紙パンツに貼り付け剥がして使用することができる。【００２５】尚、本発明は犬又は猫などのペット用のおむつや紙パンツに実施したが、これに限定されるものではない。例えば、人間用のおむつは新生児用から大人用まで多種類あり、犬又は猫の大きさに対応できる。又、ペット用のおむつや紙パンツに比べて大量生産されているため、大変安価である。この人間のおむつに、肛門が見えるよう大きめに尻尾穴を開け、本発明を装着することによりペット専用のおむつや紙パンツを使わなくても十分に役目を果たすことができる。
【図面の簡単な説明】
【００２６】
【図１】犬に市販のおむつを装着し、本発明を実施した横から見た図である。
【図２】市販されている犬又は猫のおむつや紙パンツに本発明を接着した表面図である。
【図３】犬に市販のおむつを装着し、本発明を実施した後方から見た図である。
【図４】便収容袋の表面図
【図５】便収容袋の裏面図
【符号の説明】
【００２７】  １  外袋
２  内袋
３  紐
４  両面テープ
５  内袋のミシン目
６  おむつ
７  尻尾穴
８  肛門
９  尻尾
Ｂ  便
【図１】
2005151963.tif 000003
【図２】
2005151963.tif 000004
【図３】
2005151963.tif 000005
【図４】
2005151963.tif 000006
【図５】
2005151963.tif 000007